Podtech/llm-jp-corpus-v4-ja_patent huggingface dataset:
【手続補正書】
【提出日】令和2年2月14日(2020.2.14)
【手続補正１】
【補正対象書類名】明細書
【補正対象項目名】００４６
【補正方法】変更
【補正の内容】
【００４６】
配管１７３ｐは、枝管１７３ａと枝管１７３ｂとに分岐する。枝管１７３ａは筐体１２１の排気口に接続され、枝管１７３ｂの端部は筐体１２１とシャッタ１３１との間に配置される。配管１７３ｐには、吸引装置１７３が介挿される。枝管１７３ｂにはバルブ１７３ｖが介挿される。吸引装置１７３は、例えばエジャクタである。配管１７３ｐは、排気設備に接続される。吸引装置１７３は、筐体１２１内の雰囲気を枝管１７３ａおよび配管１７３ｐを通して排出する。また、吸引装置１７３は、筐体１２１とシャッタ１３１との間の雰囲気をシャッタ１３１の移動により発生する塵埃等とともに枝管１７３ｂおよび配管１７３ｐを通して排出する。吸引装置１７３により排出された気体は、排気設備により無害化される。
【手続補正２】
【補正対象書類名】明細書
【補正対象項目名】００５７
【補正方法】変更
【補正の内容】
【００５７】
光源部１６３により基板Ｗに照射される真空紫外線の露光量が予め定められた設定露光量に到達した場合、真空紫外線の照射が停止され、露光処理が終了する。ここで、露光量とは、露光処理時に基板Ｗの被処理面の単位面積当たりに照射される真空紫外線のエネルギーである。露光量の単位は、例えば「Ｊ／ｍ２」で表される。したがって、真空紫外線の露光量は、照度計１８３により計測される真空紫外線の照度の積算により取得される。
【手続補正３】
【補正対象書類名】明細書
【補正対象項目名】００５９
【補正方法】変更
【補正の内容】
【００５９】
しかしながら、光源部１６３の点灯直後には、図６に示すように、基板Ｗに照射される真空紫外線の照度が時間とともに低下し、所定時間後に一定値ＬＶに収束する。そのため、露光処理前に一定値ＬＶを有する照度を計測することは困難である。本実施の形態においては、露光処理中に、真空紫外線が基板Ｗおよび照度計１８３に同時に照射される。したがって、基板Ｗに照射される真空紫外線の照度が変化した場合に、照度計１８３により計測される真空紫外線の照度も同様に変化する。
【手続補正４】
【補正対象書類名】明細書
【補正対象項目名】００７４
【補正方法】変更
【補正の内容】
【００７４】
次に、閉塞制御部１は、基板Ｗが複数の支持ピン１４２の上端部に載置されたか否かを判定する（ステップＳ２）。基板Ｗが載置されていない場合、閉塞制御部１は、基板Ｗが複数の支持ピン１４２の上端部に載置されるまで待機する。基板Ｗが載置された場合、閉塞制御部１は、シャッタ１３１を閉塞位置に移動させる（ステップＳ３）。
【手続補正５】
【補正対象書類名】明細書
【補正対象項目名】００９２
【補正方法】変更
【補正の内容】
【００９２】
塗布装置２４０は、基板Ｗの被処理面にＤＳＡ液を供給することにより、膜の塗布処理を行う。本実施の形態では、ＤＳＡ液として、２種類の重合体から構成されるブロック共重合体が用いられる。２種類の重合体の組み合わせとして、例えば、ポリスチレン−ポリメチルメタクリレート（ＰＳ−ＰＭＭＡ）、ポリスチレン−ポリジメチルシロキサン（ＰＳ−ＰＤＭＳ）、ポリスチレン−ポリフェロセニルジメチルシラン（ＰＳ−ＰＦＳ）、ポリスチレン−ポリエチレンオキシド（ＰＳ−ＰＥＯ）、ポリスチレン−ポリビニルピリジン（ＰＳ−ＰＶＰ）、ポリスチレン−ポリヒドロキシスチレン（ＰＳ−ＰＨＯＳＴ）、およびポリメチルメタクリレート−ポリメタクリレートポリヘドラルオリゴメリックシルセスキオキサン（ＰＭＭＡ−ＰＭＡＰＯＳＳ）等が挙げられる。
【手続補正６】
【補正対象書類名】明細書
【補正対象項目名】００９５
【補正方法】変更
【補正の内容】
【００９５】
搬送装置２２０は、処理対象の基板Ｗを、熱処理装置２３０および塗布装置２４０に順に搬送する。この場合、熱処理装置２３０において、基板Ｗの温度がＤＳＡ膜Ｌ３の形成に適した温度に調整される。また、塗布装置２４０において、基板Ｗの被処理面にＤＳＡ液が供給され、塗布処理が行われる。それにより、図１６（ｂ）に示すように、ガイドパターンＬ２が形成されていない下地層Ｌ１上の領域に、２種類の重合体から構成されるＤＳＡ膜Ｌ３が形成される。
【手続補正７】
【補正対象書類名】明細書
【補正対象項目名】０１０９
【補正方法】変更
【補正の内容】
【０１０９】
すなわち、本実施の形態においては、露光処理中に、遮光部材１９１ではなく照度計１８３が非遮光位置と遮光位置との間で移動する。したがって、本実施の形態の露光処理においては、図１３のステップＳ１１で、遮光部材１９１ではなく照度計１８３が非遮光位置と遮光位置との間で移動される。また、図１３のステップＳ１９で、遮光部材１９１ではなく照度計１８３の移動が停止される。
【手続補正８】
【補正対象書類名】図面
【補正対象項目名】図１
【補正方法】変更
【補正の内容】
【図１】
2018147917.tif 000001
【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
絶縁基材の面上に設けられた金属基材部と、
前記金属基材部の表面における所定の電気接点位置に金属材料で設けられた複数の凸部と、を有し、
電気接点となる前記凸部の周囲には、前記凸部と接触する接続対象部材と直接接しない非電気接点となる非電気接点部が前記凸部を取り囲むように設けられ、
前記非電気接点部は、前記金属基材部の表面における面方向において連通して設けられたことを特徴とするコネクタ端子。
【請求項２】
複数の前記凸部の先端部のそれぞれが半球形状に設けられたことを特徴とする請求項１に記載のコネクタ端子。
【請求項３】
複数の前記凸部は、電解めっき膜であり、複数の前記凸部の上に無電解めっき膜を有することを特徴とする請求項１または２に記載のコネクタ端子。
【請求項４】
請求項１〜３のいずれか一項に記載のコネクタ端子を備えたことを特徴とする電子機器。
【手続補正２】
【補正対象書類名】明細書
【補正対象項目名】００１７
【補正方法】変更
【補正の内容】
【００１７】
後述する本発明の実施例においては、無電解めっきに金めっきを用いたが、錫、銀、その他の金属めっき、各種合金めっき等を用いることができる。最表面が錫めっき層、銀めっき層又は金めっき層となっていると、優れた耐摩耗性、電導性、摺動性及び低摩擦性を発現することができる。本発明の実施例に対して、金属基材を電解めっき、凸部の相手部材の接点を無電解めっきで形成したが、電解めっき、無電解めっきを逆にしても、めっき以外の各種方法で選択的に、凸部と凸部との隙間を形成してしてもよい。なお、めっき以外では、スパッタ等の蒸着法、ペースト状の金属の印刷等を用いることができる。
【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
インターネットを介して収集した任意の事象に関する投稿文章群の各投稿文を解析し、前記投稿文に含まれる単語を出現頻度で順位付けする文章解析部と、
前記単語の順位データに基づいて前記投稿文章群に関する短文を作成する短文作成部と、
を有するデータ処理装置。
【請求項２】
前記文章解析部は、
前記投稿文毎に品詞分解する品詞分解部と、
品詞分解された単語から名詞を抽出する名詞抽出部と、
抽出された名詞を出現頻度で順位付けする名詞カウント部と
を備え、
前記短文作成部は前記名詞の順位データに基づいて前記短文を作成する請求項１に記載のデータ処理装置。
【請求項３】
前記短文作成部は、
前記単語の順位データに基づき、前記投稿文章群の各投稿文に含まれる名詞の中から特定の内容を表す名詞を選定する単語選定部と、
前記単語選定部で選定された名詞を用いて短文を作成する短文生成部と
を備え、
前記単語選定部は順位が上位の名詞を優先して選定する請求項１又は２に記載のデータ処理装置。
【請求項４】
前記特定の内容を表す名詞は、地域を表す名詞及び事象を表す名詞である請求項３に記載のデータ処理装置。
【請求項５】
更に、前記単語の順位データを記憶する順位データ記憶部を有する請求項１〜４のいずれか１項に記載のデータ処理装置。
【請求項６】
前記短文はタイトル又は見出しである請求項１〜５のいずれか１項に記載のデータ処理装置。
【請求項７】
１又は複数のデータ処理装置を用いて短文を自動作成する方法であって、
前記データ処理装置により、
インターネットを介して収集した任意の事象に関する投稿文章群の各投稿文を解析し、前記投稿文に含まれる単語を出現頻度で順位付けする文章解析工程と、
前記単語の順位データに基づいて前記投稿文章群に関する短文を作成する短文作成工程と、
を行うデータ処理方法。
【請求項８】
前記文章解析工程は、
前記投稿文毎に品詞分解する工程と、
品詞分解された単語から名詞を抽出する工程と、
抽出された名詞を出現頻度で順位付けする工程と
を有し、
前記短文作成工程は前記名詞の順位データに基づいて前記短文を作成する請求項７に記載のデータ処理方法。
【請求項９】
前記短文作成工程は、
前記単語の順位データに基づき、前記投稿文章群の各投稿文に含まれる名詞の中から特定の内容を表す名詞を選定する工程と、
選定された名詞を用いて短文を作成する工程と
を有し、
前記名詞を選定する工程では、順位が上位の名詞を優先して選定する請求項７又は８に記載のデータ処理方法。
【請求項１０】
インターネットを介して収集した任意の事象に関する投稿文章群の各投稿文を解析し、前記投稿文に含まれる単語を出現頻度で順位付けする文章解析装置と、
前記単語の順位データに基づいて前記投稿文章群に関する短文を作成する短文作成装置と、
を有するデータ処理システム。
【請求項１１】
インターネットを介して収集した複数の投稿文を分類し、事象毎に投稿文章群を作成する投稿文分類装置を備え、
前記文章解析装置は、前記投稿文分類装置で作成された投稿文章群を解析する請求項１０に記載のデータ処理システム。
【請求項１２】
前記短文作成装置で作成された短文のデータを、前記投稿文章群のデータに付加し、外部配信する配信装置を有する請求項１０又は１１に記載のデータ処理システム。
【請求項１３】
コンピュータに、
インターネットを介して収集した任意の事象に関する投稿文章群の各投稿文を解析し、前記投稿文に含まれる単語を出現頻度で順位付けする文章解析機能と、
前記単語の順位データに基づいて前記投稿文章群に関する短文を自動作成する短文作成機能と
を実行させるプログラム。
を実行させるプログラム。
【手続補正２】
【補正対象書類名】明細書
【補正対象項目名】００１０
【補正方法】変更
【補正の内容】
【００１０】
本発明に係るデータ処理方法は、１又は複数のデータ処理装置を用いて短文を自動作成する方法であって、前記データ処理装置により、インターネットを介して収集した任意の事象に関する投稿文章群の各投稿文を解析し、前記投稿文に含まれる単語を出現頻度で順位付けする文章解析工程と、前記単語の順位データに基づいて前記投稿文章群に関する短文を作成する短文作成工程とを行う。
本発明のデータ処理方法では、前記文章解析工程で、前記投稿文毎に品詞分解する工程と、品詞分解された単語から名詞を抽出する工程と、抽出された名詞を出現頻度で順位付けする工程とを実施し、前記短文作成工程で前記名詞の順位データに基づいて前記短文を作成してもよい。
また、前記短文作成工程では、例えば、前記単語の順位データに基づき、前記投稿文章群の各投稿文に含まれる名詞の中から特定の内容を表す名詞を選定する工程と、選定された名詞を用いて短文を作成する工程を行うことができ、その場合、前記名詞を選定する工程において順位が上位の名詞を優先して選定すればよい。
【手続補正３】
【補正対象書類名】明細書
【補正対象項目名】００２５
【補正方法】変更
【補正の内容】
【００２５】
［動作］
次に、本実施形態のデータ処理装置１の動作、即ち、データ処理装置１を用いて投稿文章群に関する短文を自動作成する方法について説明する。本実施形態のデータ処理方法は、１又は複数のデータ処理装置１により、文章解析工程と、短文作成工程とを行い、投稿文章群に関する短文を自動作成する。図２は本実施形態のデータ処理方法を示すフローチャートであり、図３は順位データの例である。
【手続補正４】
【補正対象書類名】明細書
【補正対象項目名】００２６
【補正方法】変更
【補正の内容】
【００２６】
［文章解析工程］
文章解析工程は、主にデータ処理装置１の記事解析部２で行われ、インターネットを介して収集した任意の事象に関する投稿文章群の各投稿文を解析し、投稿文に含まれる単語を出現頻度で順位付けする。単語の抽出及び順位付けの方法は、特に限定されるものではないが、例えば、図２に示すように、投稿文毎に品詞分解した後（ステップＳ１）、品詞分解された単語から名詞を抽出し（ステップＳ２）、抽出された名詞を出現頻度で順位付けする（ステップＳ３）ことにより、実施することができる。
【手続補正書】
【提出日】令和2年4月24日(2020.4.24)
【手続補正１】
【補正対象書類名】特許請求の範囲
【補正対象項目名】全文
【補正方法】変更
【補正の内容】
【特許請求の範囲】
【請求項１】
形象物と操作部とを備え、
前記操作部は、他の玩具が前記形象物近傍に位置することにより前記形象物の少なくとも一部を操作可能に設けられ、
前記形象物の少なくとも一部は、前記操作部による操作に基づいて第１の位置から前記形象物近傍に位置する他の玩具に近付く第２の位置に変化できる、
玩具。
【請求項２】
前記形象物は、少なくとも第１の部位及び第２の部位を含み、
前記第１の部位は、前記操作部による操作に基づいて前記第１の位置から前記第２の位置に変位可能に設けられる、
請求項１に記載の玩具。
【請求項３】
前記第１の部位は、前記第２の部位に対して回動可能であり、
前記第２の位置は、前記第１の部位が前記第２の部位に対して回動変位した位置である、
請求項２に記載の玩具。
【請求項４】
前記第１の部位が回動変位した位置は、前記第１の部位が前記形象物近傍に位置する前記他の玩具に近付く方向に傾斜した位置である、
請求項３に記載の玩具。
【請求項５】
前記形象物は、前記操作部による操作に基づく前記第１の位置から前記第２の位置への変位に基づいて変位可能な第３の部位をさらに有する、
請求項２〜４のいずれか１項に記載の玩具。
【請求項６】
前記第３の部位は、前記第１の部位に変位可能に設けられる、
請求項５に記載の玩具。
【請求項７】
前記第３の部位は、前記第１の部位の前記第１の位置から前記第２の位置への変化による慣性力よって変位可能に設けられる、
請求項５または６に記載の玩具。
【請求項８】
前記第３の部位は、前記第１の部位が前記第１の位置から前記第２の位置に変化したときに、前記第１の部位よりも前記形象物近傍に位置する前記他の玩具に近付くことが可能である、
請求項５〜７のいずれか１項に記載の玩具。
【請求項９】
前記形象物は、少なくとも胴部と該胴部に設けられた脚部と該胴部に設けられた腕部とを有し、
前記第１の部位は前記胴部を含み、前記第２の部位は前記脚部を含み、前記第３の部位は前記腕部を含む、
請求項５〜８のいずれか１項に記載の玩具。
【請求項１０】
前記操作部は、前記他の玩具からの外力によって操作可能に設けられる、
請求項１〜９のいずれか１項に記載の玩具。
【請求項１１】
前記操作部は、前記形象物の前記第１の部位が前記第１の位置から前記第２の位置に変化したときに、該第２の位置に変化した該第１の部位の下側に位置するように設けられる、
請求項２〜１０のいずれか１項に記載の玩具。
【請求項１２】
前記操作部は、前記他の玩具が前記形象物近傍に位置することにより回動可能に設けられる、
請求項１〜１１のいずれか１項に記載の玩具。
【請求項１３】
前記操作部による操作基づいて前記形象物の少なくとも一部を前記第１の位置から前記第２の位置に変化させる動作機構をさらに備える、
請求項１〜１２のいずれか１項に記載の玩具。
【請求項１４】
前記動作機構は、円形部材の周囲に間隔が異なるように配置された複数の突起を有する回転部材と、前記複数の突起の何れかとの直接的又は間接的な当接により前記形象物の少なくとも一部を前記第１の位置から前記第２の位置に変化させる動作部材と、を含む、
請求項１３に記載の玩具。
【請求項１５】
前記動作機構は、前記形象物の少なくとも一部を前記第１の位置に保持し、かつ、前記操作部による操作に基づいて該第１の位置の保持を解除して前記第２の位置への変化を許容する位置制御機構を含む、
請求項１３または１４に記載の玩具。
【請求項１６】
前記動作機構は、前記形象物の少なくとも一部を前記第１の位置から前記第２の位置に向かって付勢する部材を含む、
請求項１３〜１５のいずれか１項に記載の玩具。
【請求項１７】
前記操作部による操作が複数回繰り返されたことを条件として、前記形象物の少なくとも一部は前記第１の位置から前記第２の位置へ変化し得る、
請求項１〜１６のいずれか１項に記載の玩具。
【請求項１８】
前記操作部による操作によって前記形象物の少なくとも一部が前記第１の位置から前記第２の位置へ変化する場合と、前記操作部による操作によって前記形象物の一部が前記第１の位置から前記第２の位置へ変化しない場合とが含まれる、
請求項１〜１７のいずれか１項に記載の玩具。
【手続補正２】
【補正対象書類名】明細書
【補正対象項目名】０００５
【補正方法】変更
【補正の内容】
【０００５】
本発明に係る動作玩具は、形象物と、前記形象物が設けられた支持部と、前記支持部に設けられた操作部とを備え、前記形象物は、各々の一端が前記支持部に設けられた第１部分と第２部分を含み、前記操作部は、前記第１部分と前記第２部分との間を通過する走行玩具によって操作可能に設けられ、前記形象物の一部は、前記走行玩具による前記操作部への操作によって第１位置から前記走行玩具に接近する第２位置に変化し得るように構成されている。また、本発明に係る玩具は、形象物と操作部とを備え、前記操作部は、他の玩具が前記形象物近傍に位置することにより前記形象物の少なくとも一部を操作可能に設けられ、前記形象物の少なくとも一部は、前記操作部による操作に基づいて第１の位置から前記形象物近傍に位置する他の玩具に近付く第２の位置に変化できる。
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な特定状態に制御可能な遊技機であって、
前記特定状態に制御されることを示唆する特定画像と、前記特定画像を説明する画像であって該特定画像または該特定画像を示す画像を含む説明画像と、を表示可能な演出実行手段を備え、
前記演出実行手段は、一の可変表示中において、
前記説明画像を表示し、前記特定画像を表示しない第１の演出、
前記説明画像を表示せず、前記特定画像を表示する第２の演出、
前記説明画像を表示し、前記特定画像を表示する第３の演出のいずれかを実行可能であり、
前記説明画像には、前記特定画像のうち第１特定表示画像を説明する第１説明画像と、前記特定画像のうち第２特定表示画像を説明する第２説明画像と、があり、
前記第１説明画像と前記第２説明画像を表示してからいずれかを除外する除外演出を実行し、残った前記説明画像を用いた前記第３の演出を実行可能であり、
前記除外演出実行時に、報知音を出力可能であり、
前記説明画像には、通常説明画像と、該通常説明画像よりも前記特定画像を詳細に説明する詳細説明画像と、があり、
前記演出実行手段は、前記第１の演出を実行する場合には、前記詳細説明画像を表示せずに前記通常説明画像を表示する
ことを特徴とする遊技機。
【手続補正２】
【補正対象書類名】明細書
【補正対象項目名】０００６
【補正方法】変更
【補正の内容】
【０００６】
（Ａ）上記目的を達成するため、本願発明に係る遊技機は、
可変表示を行い、遊技者にとって有利な特定状態（大当たり遊技状態、或いは確率変動状態）に制御可能な遊技機（パチンコ遊技機１）であって、
前記特定状態に制御されることを示唆する特定画像と、前記特定画像を説明する画像であって該特定画像または該特定画像を示す画像を含む説明画像と、を表示可能な演出実行手段（表示制御基板８０の表示制御用ＣＰＵ）を備え、
前記演出実行手段は、一の可変表示中において、
前記説明画像を表示し、前記特定画像を表示しない第１の演出（例えば図８（ｂ１）〜（ｂ３）に示す演出）、
前記説明画像を表示せず、前記特定画像を表示する第２の演出（例えば図８（ａ１）〜（ａ２）に示す演出）、
前記説明画像を表示し、前記特定画像を表示する第３の演出（例えば図８（ｃ１）〜（ｃ４）に示す演出）のいずれかを実行可能であり、
前記説明画像には、前記特定画像のうち第１特定表示画像を説明する第１説明画像と、前記特定画像のうち第２特定表示画像を説明する第２説明画像と、があり、
前記第１説明画像と前記第２説明画像を表示してからいずれかを除外する除外演出を実行し、残った前記説明画像を用いた前記第３の演出を実行可能であり（例えば図１５参照）、
前記除外演出実行時に、報知音を出力可能であり、
前記説明画像には、通常説明画像（例えば図８参照）と、該通常説明画像よりも前記特定画像を詳細に説明する詳細説明画像（例えば図１３参照）と、があり、
前記演出実行手段は、前記第１の演出を実行する場合には、前記詳細説明画像を表示せずに前記通常説明画像を表示する（例えば図１４参照）。
（１）上記目的を達成するため、他の遊技機は、
可変表示を行い、遊技者にとって有利な特定状態（大当たり遊技状態、或いは確率変動状態）に制御可能な遊技機（パチンコ遊技機１）であって、
前記特定状態に制御されることを示す特定画像と、前記特定画像を説明する画像であって該特定画像または該特定画像を示す画像を含む説明画像と、を表示可能な演出実行手段（表示制御基板８０の表示制御用ＣＰＵ）を備え、
前記演出実行手段は、一の可変表示中において、
前記説明画像を表示し、前記特定画像を表示しない第１の演出（例えば図８（ｂ１）〜（ｂ３）に示す演出）、
前記説明画像を表示せず、前記特定画像を表示する第２の演出（例えば図８（ａ１）〜（ａ２）に示す演出）、
前記説明画像を表示し、前記特定画像を表示する第３の演出（例えば図８（ｃ１）〜（ｃ４）に示す演出）のいずれかを実行可能であり、
前記説明画像には、前記特定画像のうち第１特定表示画像を説明する第１説明画像と、前記特定画像のうち第２特定表示画像を説明する第２説明画像と、があり、
前記第１説明画像と前記第２説明画像を表示してからいずれかを除外する除外演出を実行し、残った前記説明画像を用いた前記第２の演出を実行可能である（例えば図１５参照）。
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
抽選手段による抽選結果に基づいて遊技を進行する遊技機であって、
前記遊技機は、所定の静止画像や動画を表示可能な演出表示装置と、駆動手段によって移動可能な可動装飾体とを有する遊技盤を備え、
前記可動装飾体には、発光体を含む複数の電子部品が実装される装飾基板が備えられており、
前記装飾基板は、前記発光体が実装される表実装面と前記発光体が実装されない裏実装面で構成され、
前記装飾基板の表実装面に設けられる白色塗膜と、該白色塗膜上に黄色塗料で形成されて前記発光体と対応する表記部とを有し、
白色塗膜上に黄色塗料で形成される前記表記部を有する前記装飾基板を備えた前記可動装飾体は、待機位置から前記演出表示装置の表示面中央側の所定位置に移動可能であり、
さらに前記装飾基板の表実装面に対する前方には透光性を有した発光装飾部が配置されている、
ことを特徴とする遊技機。
【手続補正２】
【補正対象書類名】明細書
【補正対象項目名】０００２
【補正方法】変更
【補正の内容】
【０００２】
従来、発光体が実装される装飾基板が取り付けられた遊技機が提案されている（例えば、特許文献１）。このような発光体による発光演出を用いたバリエーションのある演出を遊技者に提供している。
【手続補正３】
【補正対象書類名】明細書
【補正対象項目名】０００３
【補正方法】変更
【補正の内容】
【０００３】
【特許文献１】特開２０１６−１５４６７６号公報（段落［００１９］、図５）
【手続補正４】
【補正対象書類名】明細書
【補正対象項目名】０００４
【補正方法】変更
【補正の内容】
【０００４】
しかしながら、近年では、発光演出にて遊技興趣の低下を抑制する新たな実施態様が望まれている実情にある。
【手続補正５】
【補正対象書類名】明細書
【補正対象項目名】０００５
【補正方法】変更
【補正の内容】
【０００５】
本発明は、このような事情に鑑みてなされたものであり、その目的とするところは、遊技興趣の低下を抑制することができる遊技機を提供することにある。
【手続補正６】
【補正対象書類名】明細書
【補正対象項目名】０００６
【補正方法】変更
【補正の内容】
【０００６】
上記した目的を達成するために、本発明は、
抽選手段による抽選結果に基づいて遊技を進行する遊技機であって、
前記遊技機は、所定の静止画像や動画を表示可能な演出表示装置と、駆動手段によって移動可能な可動装飾体とを有する遊技盤を備え、
前記可動装飾体には、発光体を含む複数の電子部品が実装される装飾基板が備えられており、
前記装飾基板は、前記発光体が実装される表実装面と前記発光体が実装されない裏実装面で構成され、
前記装飾基板の表実装面に設けられる白色塗膜と、該白色塗膜上に黄色塗料で形成されて前記発光体と対応する表記部とを有し、
白色塗膜上に黄色塗料で形成される前記表記部を有する前記装飾基板を備えた前記可動装飾体は、待機位置から前記演出表示装置の表示面中央側の所定位置に移動可能であり、
さらに前記装飾基板の表実装面に対する前方には透光性を有した発光装飾部が配置されている、
ことを特徴とする。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】変更
【補正の内容】
【０００８】
本発明の遊技機においては、遊技興趣の低下を抑制することができる。
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
先端部同士が回動可能に連結された一対の第１ の長尺体を有する第１のブレードと、
前記第１のブレードに並設され、先端部同士が回動可能に連結された一対の第２の長尺体を有する第２のブレードと、
前記各第１の長尺体と前記各第２の長尺体とに着脱自在に装着され、その装着状態で、前記第１のブレードと前記第２のブレードとを並設させて連結するとともに、前記第１の長尺体同士の回動角度と、前記第２の長尺体同士の回動角度とを調整する角度調整機構と、
を備えることを特徴とする開骨器具。
【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
複数の指部を備え、対象物を把持するロボットハンドであって、
前記指部を互いに接近または離間させる駆動機構と、
前記指部それぞれに設けられ、前記指部にかかる力を検出する力検出手段と、
前記指部の位置を検出する位置検出手段と、を有しており、
前記力検出手段の検出結果と、前記位置検出手段の検出結果と、に基づき、前記ロボットハンド上の所定位置において作用する力と、モーメントと、を取得する制御装置を備えている、ことを特徴とするロボットハンド。
【請求項２】
請求項１に記載のロボットハンドにおいて、
前記力は、前記所定位置における３軸方向の力であり、前記モーメントは前記３軸の各軸周りに作用するモーメントであることを特徴とするロボットハンド。
【請求項３】
請求項１または２に記載のロボットハンドにおいて、前記力検出手段は、３軸力覚センサであることを特徴とするロボットハンド。
【請求項４】
請求項１から３のいずれか１項に記載のロボットハンドにおいて、
前記指部を旋回させる旋回駆動機構を備え、
前記位置検出手段は、前記駆動機構と前記旋回駆動機構によって駆動される前記指部の位置を検出することを特徴とするロボットハンド。
【請求項５】
請求項１から４のいずれか１項に記載のロボットハンドにおいて、前記位置検出手段はエンコーダであることを特徴とするロボットハンド。
【請求項６】
請求項１から請求項５のいずれか１項に記載のロボットハンドにおいて、前記所定位置は、前記対象物の重心位置であることを特徴とするロボットハンド。
【請求項７】
請求項１から６のいずれか１項に記載のロボットハンドにおいて、
前記制御部は、
前記力と前記モーメントを取得する際、前記力検出手段の検出結果と、前記位置検出手段の検出結果とを、前記ロボットハンドを制御する際に用いる座標系における値に変換して取得することを特徴とするロボットハンド。
【請求項８】
請求項１から６のいずれか１項に記載のロボットハンドにおいて、前記制御装置は、前記対象物を把持して組立を行う際、取得された、前記対象物を介して受ける力及びモーメントの変化に基づいて前記ロボットハンドを制御することを特徴とするロボットハンド。
【請求項９】
請求項４に記載のロボットハンドにおいて、前記指部の内、旋回する指部がアクチュエータにより１つの駆動源で旋回可能であることを特徴とするロボットハンド。
【請求項１０】
請求項１から９のいずれか１項に記載のロボットハンドを先端部に取り付けたロボットアームと、
前記ロボットアームを制御するアーム制御手段と、を備え、
前記制御装置は、取得した前記力と、前記モーメントを前記アーム制御手段へ供給し、前記前記アーム制御手段によって前記アーム本体を駆動させることを特徴とするロボット装置。
【請求項１１】
請求項１から９のいずれか１項に記載のロボットハンドを用いて物品の製造を行うことを特徴とする物品の製造方法。
【請求項１２】
複数の指部を備えたハンド部により対象物を把持するロボットハンドの制御方法であって、
前記指部を互いに接近または離間させる駆動機構と、
前記指部それぞれに設けられ、前記指部にかかる力を検出する力検出手段と、
前記指部の位置を検出する位置検出手段と、を有しており、
制御装置が、
前記力検出手段の検出結果と、前記位置検出手段の検出結果と、を取得し、
前記力検出手段の検出結果と、前記位置検出手段の検出結果と、に基づき、前記ロボットハンド上の所定位置において作用する力と、モーメントと、を取得する、ことを特徴とする制御方法。
【請求項１３】
請求項１２に記載の制御方法を実行可能な制御プログラム。
【請求項１４】
請求項１３に記載の制御プログラムを格納した、コンピュータで読み取り可能な記録媒体。
【手続補正書】
【提出日】令和2年1月6日(2020.1.6)
【手続補正１】
【補正対象書類名】明細書
【補正対象項目名】００２１
【補正方法】変更
【補正の内容】
【００２１】
本体部３の内部には、図示しないコーヒー豆を貯蔵するキャニスタ、温水タンク、生乳を貯蔵する生乳タンク、生乳を泡立てる泡立てユニット、コーヒー豆を挽くコーヒーミル、コーヒーを抽出する抽出ユニット等が備えられている。
【手続補正２】
【補正対象書類名】明細書
【補正対象項目名】００２４
【補正方法】変更
【補正の内容】
【００２４】
本体部３には、抽出ユニットや生乳タンク等から飲料をカップに供給するノズルユニット１０が備えられている。ノズルユニット１０は、扉部２を閉めた際に、カップステーション７の上方に位置するように配置されている。
【手続補正３】
【補正対象書類名】明細書
【補正対象項目名】００６６
【補正方法】変更
【補正の内容】
【００６６】
本実施形態のコーヒーマシン１は、可動ノズル支持部２７を作動させるノズル移動ユニット５０がノズルユニット１０とは別体であり、ノズルユニット１０を洗浄する際には、ノズル移動ユニット５０を取り外す必要がないので、ノズルユニット１０について洗浄等のメンテナンスを容易に行うことができる。また、ノズル移動ユニット５０は扉部２に設けられているので、メンテナンス時に扉部２を開くことで、ノズルユニット１０及び本体部３とノズル移動ユニット５０とを離間させることができる。これにより、本体部３に設置した状態のノズルユニット１０やその周辺の本体部３内を温水により洗浄する内部清掃を行ったとしても、ノズル移動ユニット５０のアクチュエータ５１への飛散を防止してアクチュエータ５１の保護を図ることができる。
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
遊技機枠に対して開閉可能な遊技機扉と、
遊技領域が形成された第１部材と、
前記遊技機扉に対して脱着可能な第２部材と、
前記遊技機扉を開放可能な第１状態と、前記遊技機扉を閉鎖状態に維持可能な第２状態と、に変位可能な第３部材と、
を備え、
前記第３部材が前記第１状態であって前記遊技機扉が開放状態の場合には前記第１部材および前記第２部材を脱着可能であり、前記第３部材が前記第２状態であって前記遊技機扉が閉鎖状態の場合には前記第１部材および前記第２部材を脱着不可能である
ことを特徴とする遊技機。
【手続補正２】
【補正対象書類名】明細書
【補正対象項目名】０００７
【補正方法】変更
【補正の内容】
【０００７】
［適用例１］
上記課題を解決するため、本願の適用例１の遊技機（１００）では、遊技機枠（外枠１６０）に対して開閉可能な遊技機扉（ガラス枠１５０）と、遊技領域（遊技領域１０６）が形成された第１部材（遊技盤ユニット１０２、遊技盤１０２Ａ）と、前記遊技機扉に対して脱着可能な第２部材（刀柄ユニット１３５）と、前記遊技機扉を開放可能な第１状態と、前記遊技機扉を閉鎖状態に維持可能な第２状態と、に変位可能な第３部材（上部ユニット１８０、仕置人役物１５５０、第１提灯役物１５１０、第２提灯役物１５３０）と、を備え、前記第３部材が前記第１状態であって前記遊技機扉が開放状態の場合には前記第１部材および前記第２部材を脱着可能であり、前記第３部材が前記第２状態であって前記遊技機扉が閉鎖状態の場合には前記第１部材および前記第２部材を脱着不可能であることを要旨とする。
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
画像が表示される第一画像表示領域と、
前記第一画像表示領域に対し離間している領域であって、画像が表示される第二画像表示領域と、
を備え、
前記第二画像表示領域は、前記第一画像表示領域に表示される演出画像と一体的な第一態様の画像と、前記第一画像表示領域に表示される演出画像と一体的ではない第二態様の画像と、のうち少なくとも一つを表示可能である
ことを特徴とする遊技機。
【手続補正２】
【補正対象書類名】明細書
【補正対象項目名】０００７
【補正方法】変更
【補正の内容】
【０００７】
［適用例１］
本発明に係る遊技機（１００）は、画像が表示される第一画像表示領域（メイン表示装置１３１）と、前記第一画像表示領域に対し離間している領域であって、画像が表示される第二画像表示領域（第一サイド表示装置１３２、第二サイド表示装置１３３）と、を備え、前記第二画像表示領域は、前記第一画像表示領域に表示される演出画像と一体的な第一態様の画像と、前記第一画像表示領域に表示される演出画像と一体的ではない第二態様の画像と、のうち少なくとも一つを表示可能であることを要旨とする。
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
グリップを兼ねる本体ケース（１）の一端に、発光源（１１）およびリフレクター（１
２）を備えた照射ヘッド（２）が設けられており、
照射ヘッド（２）の投光部（１５）を肌面に密着させた状態で、発光源（１１）を発光
させて肌面に美容処理を施す光照射型の美容器具であって、
本体ケース（１）を一定量ずつ移動させるシフト手段（６）が照射ヘッド（２）に設け
られていることを特徴とする光照射型の美容器具。
【請求項２】
シフト手段（６）が、本体ケース（１）で回転可能に支持されて肌面に沿って転動する
シフト回転体（１８）と、シフト回転体（１８）が新たな照射領域へ向かって所定量転動
する毎に、シフト回転体（１８）を停止保持する転動停止構造（２０）とを備えている請
求項１に記載の光照射型の美容器具。
【請求項３】
シフト回転体がシフトローラー（１８）で構成されて、本体ケース（１）に設けた支持
枠体（１９）でローラー軸（２１）を介して回転可能に支持されており、
新たな照射領域へ向かって所定量転動した状態のシフトローラー（１８）が、転動停止
構造（２０）で停止保持されるように構成されている請求項２に記載の光照射型の美容器
具。
【請求項４】
転動停止構造（２０）が、シフトローラー（１８）に設けた回転側節度体（２８）と、
支持枠体（１９）に設けられて回転側節度体（２８）と係脱する固定側節度体（２９）と
、固定側節度体（２９）を回転側節度体（２８）と係合する向きに移動付勢する弾性体（
３０）とを備えている請求項３に記載の光照射型の美容器具。
【請求項５】
シフト回転体（１８）の外形形状が一対の頂部（６８）を備えた楕円形、または３以上
の頂部（６８）を備えた正多角形状に形成されており、
オフセット回転体（１８）が頂部（６８）を乗り越えながら新たな照射領域へ向かって
所定量転動する毎に、シフト回転体（１８）の隣接する頂部（６８）の間の安定周面（６
３）が肌面に接触して転動を阻止しており、
シフト回転体（１８）自体が転動停止構造（２０）を兼ねている請求項２に記載の光照
射型の美容器具。
【請求項６】
本体ケース（１）の移動方向と直交する照射ヘッド（２）の左右両側にシフト回転体（
１８）が配置されている請求項２から５のいずれかひとつに記載の光照射型の美容器具。
【請求項７】
シフト回転体（１８）が本体ケース（１）の肌接触面の外郭線内に配置されている請求
項６に記載の光照射型の美容器具。
【請求項８】
シフト手段（６）が、照射ヘッド（２）の移動方向の一側に配置されるシフト回転体（
１８）と、シフト回転体（１８）を回転可能に支持する支持枠体（１９）とを備えており
、
支持枠体（１９）は、本体ケース（１）で往復変位可能に案内支持されて、シフト回転
体（１８）の周面が投光部（１５）から肌面側へ突出する突出姿勢と、シフト回転体（１
８）の周面が投光部（１５）と略面一になる作動姿勢とに切換え可能に構成されている請
求項２から５のいずれかひとつに記載の光照射型の美容器具。
【請求項９】
シフト回転体がシフトローラー（１８）で形成されて、支持枠体（１９）で回転可能に
支持されており、
支持枠体（１９）が作動姿勢に切換えられた状態において、回転側節度体（２８）が固
定側節度体（２９）と係合してシフトローラー（１８）が停止保持されており、
支持枠体（１９）が突出姿勢に切換えられた状態において、回転側節度体（２８）と固
定側節度体（２９）の係合が解除されて、シフトローラー（１８）が回転可能となる請求
項４、または８に記載の光照射型の美容器具。
【請求項１０】
固定側節度体（２９）が本体ケース（１）に装着され、シフトローラー（１８）と回転
側節度体（２８）が支持枠体（１９）で回転可能に支持されており、
支持枠体（１９）が、作動姿勢から突出姿勢へ切換えられた状態において、回転側節度
体（２８）が固定側節度体（２９）から分離して、シフトローラー（１８）が回転可能と
なる請求項９に記載の光照射型の美容器具。
【請求項１１】
中空ケース状に構成した支持枠体（１９）が、本体ケース（１）に固定した揺動軸（４
５）で揺動可能に支持されており、
支持枠体（１９）の内部には、揺動軸（４５）に固定される固定ギヤ（４６）と、支持
枠体（１９）でそれぞれ回転自在に軸支されて固定ギヤ（４６）と噛み合う中間ギヤ（４
７）と、中間ギヤ（４７）と噛み合う終段ギヤ（４８）と、終段ギヤ（４８）に隣接配置
されてシフトローラー（１８）のローラー軸（２１）に固定される回転側節度体（２８）
が配置されており、
終段ギヤ（４８）に、回転側節度体（２８）と係脱する固定側節度体（２９）が設けら
れており、
支持枠体（１９）が突出姿勢から作動姿勢へ揺動操作されるのに連動して中間ギヤ（４
７）および終段ギヤ（４８）が回転駆動されて、固定側節度体（２９）が回転側節度体（
２８）と係合してシフトローラー（１８）を停止保持している請求項９に記載の光照射型
の美容器具。
【請求項１２】
支持枠体（１９）が本体ケース（１）で突出姿勢と作動姿勢の間、および作動姿勢と格
納姿勢の間で切換え可能に支持されている請求項８から１１のいずれかひとつに記載の光
照射型の美容器具。
【請求項１３】
照射ヘッド（２）の一側に、支持枠体（１９）が作動姿勢に切換えられた状態において
、シフトローラー（１８）を収容するローラー収容部（６０）が設けられており、
ローラー収容部（６０）と、同収容部（６０）に収容したシフトローラー（１８）の対
向面に、互いに係合してシフトローラー（１８）を停止保持する回転側節度体（２８）と
固定側節度体（２９）が配置されており、
支持枠体（１９）が突出姿勢に切換えられた状態において、回転側節度体（２８）が固
定側節度体（２９）から分離してシフトローラー（１８）が回転可能となる請求項９から
１１のいずれかひとつに記載の光照射型の美容器具。
【請求項１４】
照射ヘッド（２）の外面に、ローラー収容部（６０）を備えたキャップ枠（５９）が着
脱自在に装着されており、
キャップ枠（５９）にローラー収容部（６０）が設けられており、支持枠体（１９）が
キャップ枠（５９）で支持されている請求項１３に記載の光照射型の美容器具。
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
アプリケーションと、当該アプリケーションを実行するプログラム環境であるプラットフォームとを有するメモリと、
前記メモリに記憶されたプラットフォームで動作するアプリケーションの実行時間に関わるタイムアウト値を設定する設定手段と、
前記設定手段により設定された前記アプリケーションの実行時間に関わるタイムアウト値に基づき前記アプリケーションの実行を制御する制御手段と、
を有する画像形成装置。
【請求項２】
前記設定手段は、前記アプリケーションのメタ情報に規定された前記タイムアウト値を、前記アプリケーションのタイムアウト値として設定する請求項１記載の画像形成装置。
【請求項３】
前記設定手段は、前記アプリケーションのインストールパッケージに含まれる前記アプリケーションのメタ情報に規定された前記タイムアウト値を、前記アプリケーションのタイムアウト値として設定する請求項２記載の画像形成装置。
【請求項４】
前記メタ情報には、アプリケーションごとの前記タイムアウト値が規定されている請求項２又は３記載の画像形成装置。
【請求項５】
前記設定手段は、前記メタ情報に前記タイムアウト値が規定されている場合は、前記タイムアウト値を前記アプリケーションのタイムアウト値として設定し、前記メタ情報に前記タイムアウト値が規定されていない場合は、デフォルトのタイムアウト値を前記アプリケーションのタイムアウト値として設定する請求項２乃至４何れか１項記載の画像形成装置。
【請求項６】
前記設定手段は、前記メタ情報に前記タイムアウト値が規定されていない場合は、前記アプリケーションの種類に応じて異なるデフォルトのタイムアウト値を前記アプリケーションのタイムアウト値として設定する請求項２乃至４何れか１項記載の画像形成装置。
【請求項７】
前記設定手段は、前記メタ情報に前記タイムアウト値が規定されていない場合は、前記アプリケーションのサイズに応じて異なるデフォルトのタイムアウト値を前記アプリケーションのタイムアウト値として設定する請求項２乃至４何れか１項記載の画像形成装置。
【請求項８】
前記設定手段は、前記メタ情報に前記タイムアウト値が規定されていない場合は、前記アプリケーションが使用するＡＰＩ（Ａｐｐｌｉｃａｔｉｏｎ  Ｐｒｏｇｒａｍｍｉｎｇ  Ｉｎｔｅｒｆａｃｅ）に応じて異なるデフォルトのタイムアウト値を前記アプリケーションのタイムアウト値として設定する請求項２乃至４何れか１項記載の画像形成装置。
【請求項９】
前記アプリケーションは、ユーザー認証を行うログインアプリケーションである請求項１乃至８何れか１項記載の画像形成装置。
【請求項１０】
アプリケーションと当該アプリケーションを実行するプログラム環境であるプラットフォームを記憶したメモリを有する画像形成装置における情報処理方法であって、
前記プラットフォームの上で動作するアプリケーションの実行時間に関わるタイムアウト値を設定する設定工程と、
前記プラットフォームが前記設定工程により設定された前記アプリケーションの実行時間に関わるタイムアウト値に基づき前記アプリケーションの実行を制御する制御工程と、
を含む情報処理方法。
【請求項１１】
コンピュータを、請求項１乃至９何れか１項記載の画像形成装置の各手段として機能させるためのプログラム。
【手続補正２】
【補正対象書類名】明細書
【補正対象項目名】０００５
【補正方法】変更
【補正の内容】
【０００５】
本発明の画像形成装置は、アプリケーションと、当該アプリケーションを実行するプログラム環境であるプラットフォームとを有するメモリと、前記メモリに記憶されたプラットフォームで動作するアプリケーションの実行時間に関わるタイムアウト値を設定する設定手段と、前記設定手段により設定された前記アプリケーションの実行時間に関わるタイムアウト値に基づき前記アプリケーションの実行を制御する制御手段と、を有する。
【手続補正書】
【提出日】令和2年5月11日(2020.5.11)
【手続補正１】
【補正対象書類名】特許請求の範囲
【補正対象項目名】全文
【補正方法】変更
【補正の内容】
【特許請求の範囲】
【請求項１】
鉛筆差込口（２１、１１１）からケース（１０、１１０）の内部に向かう鉛筆導入部（２３、１１３）と、縮径する円錐状の芯先保持部（２４、１１４）と、を備え、該芯先保持部（２４、１１４）に設けられたスリット（２５、１１５）に沿って切削刃（２６、１１６）を設けて構成された鉛筆削器（１、１０１）であって、
前記鉛筆差込口（２１、１１１）を覆うキャップ（３０、１３０）をゴム部材で構成したしたことを特徴とする鉛筆削器。
【請求項２】
前記キャップ（３０、１３０）を消しゴム部材とし、内側に、鉛筆の後端部を保持する凹部（３２、１３２）を設けたことを特徴とする請求項１に記載の鉛筆削器。
【請求項３】
前記鉛筆差込口（２１）とは逆の方向からケース（１０）の内部に向けて取り付けられるハンドル（４０）を、前記鉛筆差込口（２１）に差し込まれる鉛筆と平行になるように設けて構成された鉛筆削器（１）であって、
前記キャップ（３０）の内側に、該鉛筆の後端部を保持するための凹部（３２）を設けたことを特徴とする請求項１又は請求項２に記載の鉛筆削器。
【手続補正２】
【補正対象書類名】明細書
【補正対象項目名】０００５
【補正方法】変更
【補正の内容】
【０００５】
上記課題を解決するために、本発明は、鉛筆差込口からケースの内部に向かう鉛筆導入部と、縮径する円錐状の芯先保持部と、を備え、該芯先保持部に設けられたスリットに沿って切削刃を設けて構成された鉛筆削器であって、前記鉛筆差込口を覆うキャップをゴム部材で構成したしたことを特徴とするものである。
この場合、前記キャップを消しゴム部材とし、内側に、鉛筆の後端部を保持する凹部を設けてもよい。
【手続補正３】
【補正対象書類名】明細書
【補正対象項目名】０００６
【補正方法】変更
【補正の内容】
【０００６】
前記鉛筆差込口とは逆の方向からケースの内部に向けて取り付けられるハンドルを、前記鉛筆差込口に差し込まれる鉛筆と平行になるように設けて構成された鉛筆削器であって、前記キャップの内側に、該鉛筆の後端部を保持するための凹部を設けたことを特徴とするものであってもよい。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
請求項１に係る鉛筆削器は、前記鉛筆差込口を覆うキャップをゴム部材で構成したので、スリットを介して切削屑が鉛筆挿入口からこぼれるのを防止できる。
請求項２に係る鉛筆削器は、前記鉛筆差込口を覆うキャップを消しゴム部材で構成したので、筆箱などに入れて持ち歩く際に、別途消しゴムを用意する必要がなく、筆箱の嵩張りを防止することができる。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正書】
【提出日】令和2年9月3日(2020.9.3)
【手続補正１】
【補正対象書類名】特許請求の範囲
【補正対象項目名】全文
【補正方法】変更
【補正の内容】
【特許請求の範囲】
【請求項１】
クエストのプレイ開始前において、ユーザのゲームポイントから第１量を消費する第１操作又は前記第１量よりも少ない第２量を消費する第２操作を、前記ユーザから受け付けたことに基づき、前記第１操作を前記ユーザから受け付けた場合と前記第２操作を前記ユーザから受け付けた場合とで、同じ難易度で当該クエストのプレイを許可するゲーム進行手段と、
前記ユーザが前記クエストをクリアした場合に、前記第１操作を前記ユーザから受け付けた場合よりも前記第２操作を前記ユーザから受け付けた場合の方が、当該ユーザに付与するクリア報酬を少なくする報酬付与手段と、
を備える情報処理装置。
【請求項２】
前記ゲーム進行手段は、前記第１操作を前記ユーザから受け付けた場合に、前記クエストでのすべてのプレイを許可し、前記第２操作を前記ユーザから受け付けた場合でも、前記クエストでの一部のプレイを許可することに制限せず、前記クエストでのすべてのプレイを許可する、
請求項１に記載の情報処理装置。
【請求項３】
前記報酬付与手段は、前記第２操作があった場合に付与するクリア報酬の数量に対して、前記第１操作があった場合に付与するクリア報酬の数量を増大させる、
請求項１又は２に記載の情報処理装置。
【請求項４】
前記報酬付与手段は、前記クリア報酬としてコンテンツを前記ユーザに付与し、前記第２操作を前記ユーザから受け付けた場合に付与するコンテンツ量に比べて、前記第１操作を前記ユーザから受け付けた場合に付与するコンテンツ量を増やす、
請求項１又は２に記載の情報処理装置。
【請求項５】
前記ユーザが前記クエストをクリアした場合に、前記クエストをクリアしたことによって前記ユーザがクリア報酬を獲得したことが表示されたゲーム画面について表示制御を行う表示制御手段と、
を備える請求項１−４のいずれかに記載の情報処理装置。
【請求項６】
前記ゲーム進行手段は、前記第１操作を前記ユーザから受け付けた場合と前記第２操作を前記ユーザから受け付けた場合とで、前記クエストのプレイ内容が異なるように制御する、
請求項１−５のいずれかに記載の情報処理装置。
【請求項７】
コンピュータを、
クエストのプレイ開始前において、ユーザのゲームポイントから第１量を消費する第１操作又は前記第１量よりも少ない第２量を消費する第２操作を、前記ユーザから受け付けたことに基づき、前記第１操作を前記ユーザから受け付けた場合と前記第２操作を前記ユーザから受け付けた場合とで、同じ難易度で当該クエストのプレイを許可するゲーム進行手段、
前記ユーザが前記クエストをクリアした場合に、前記第１操作を前記ユーザから受け付けた場合よりも前記第２操作を前記ユーザから受け付けた場合の方が、当該ユーザに付与するクリア報酬を少なくする報酬付与手段、
として機能させるプログラム。
【請求項８】
コンピュータが、
クエストのプレイ開始前において、ユーザのゲームポイントから第１量を消費する第１操作又は前記第１量よりも少ない第２量を消費する第２操作を、前記ユーザから受け付けたことに基づき、前記第１操作を前記ユーザから受け付けた場合と前記第２操作を前記ユーザから受け付けた場合とで、同じ難易度で当該クエストのプレイを許可することと、
前記ユーザが前記クエストをクリアした場合に、前記第１操作を前記ユーザから受け付けた場合よりも前記第２操作を前記ユーザから受け付けた場合の方が、当該ユーザに付与するクリア報酬を少なくすることと、
を有する情報処理方法。
【手続補正２】
【補正対象書類名】明細書
【補正対象項目名】発明の名称
【補正方法】変更
【補正の内容】
【発明の名称】情報処理装置、プログラム及び情報処理方法